(57)【特許請求の範囲】
【請求項１】
制御対象を制御する制御装置において、制御装置は本体側制御部とリモコンを有し、リモコンには運転スイッチが設けられ、当該運転スイッチは制御装置への電力供給が遮断されたとき或いは電力供給が一旦遮断されて電力供給が再開された時に切となるリセット機能を有し、さらに前記運転スイッチには電力供給が再開された時に電力供給が遮断される以前の状態に復帰する復帰機能を有し、本体側制御部で再投入すべきか否かを判断し、本体側制御部からリモコン側に運転スイッチを再投入する旨の信号が発信される機能を有することを特徴とする制御装置。
【請求項２】
制御対象に対して所定の信号を発する本体側制御部と、本体側制御部に電力を供給する電力供給回路を有し、制御対象を制御する制御装置において、リモコンを有し、電力供給回路には電力供給スイッチが設けられ、リモコンには運転スイッチが設けられ、当該運転スイッチは電力供給スイッチが切となって本体側制御部への電力供給が遮断されたとき或いは電力供給スイッチが切となって電力供給が一旦遮断されて電力供給が再開された時に切となるリセット機能を有し、さらに前記運転スイッチは電力供給スイッチが入となって電力供給が再開された時に本体側制御部で再投入すべきか否かを判断し、本体側制御部からリモコン側に運転スイッチを再投入する旨の信号が発信され、電力供給が遮断される直前の状態に復帰する復帰機能を有することを特徴とする制御装置。
【請求項３】
復帰機能は、電力供給が遮断される直前の運転状態を記憶する記憶手段と、再度電力供給を行った際に前記記憶手段から本体側制御部に出力し、電力供給が遮断される直前の運転状態に本体側制御部を復帰させることのできる出力手段を備えることを特徴とする請求項１又は２に記載の制御装置。
【請求項４】
前記記憶手段は不揮発性メモリを有し、前記出力手段は前記不揮発性メモリに記憶された情報を読み出して直前の運転状態に本体側制御部を復帰させることを特徴とする請求項３に記載の制御装置。
【請求項５】
制御対象の作動が異常検知により停止する制御対象を制御する制御装置であって、制御対象の作動が異常検知により停止し、この状態において電力供給が遮断され、さらに制御装置への電力供給が再開された際には、制御対象は停止した状態を維持することを特徴とする請求項１乃至４のいずれかに記載の制御装置。
【請求項６】
制御対象の作動異常を検知する異常検知機能を有し、異常検知に関する情報が不揮発性メモリに記憶され、電力供給が遮断され、さらに制御装置への電力供給が再開された際には不揮発性メモリの情報が読みだされて運転スイッチが入り状態とならないことを特徴とする請求項１乃至５のいずれかに記載の制御装置。
【請求項７】
請求項１乃至６のいずれかに記載の制御装置と燃焼装置本体からなることを特徴とする燃焼装置。
【発明の詳細な説明】
【０００１】
【発明の属する技術分野】
本発明は、燃焼装置等の機器に採用される制御装置に関するものである。
【０００２】
【従来の技術】
燃焼装置などの機器においては、運転の開始・停止、温度調節などの制御を行う制御装置が設けられる。制御装置は多くの場合、燃焼装置の機器内に設けられる本体側の機材と、リモートコントロール装置（以下  リモコン）によって構成される。
そして燃焼装置は屋外等の使用者が普段いない場所に設置されることが多いことから、リモコンが燃焼装置の本体部分から離れた場所に設置される場合が多い。燃焼装置においては、多くの場合、リモコン側に運転スイッチがある。
【０００３】
制御装置は通常電気によって作動するものが大半であり、メインとなる運転スイッチを持つ。そして運転スイッチをＯＮして制御装置を立ち上げ、燃焼装置等を起動させる。
しかしながら停電などで電気が遮断されたときには制御装置は停止する。そして再度通電されたときには、燃焼装置などの機器の誤作動を防止するために、制御装置（リモコン側）の運転スイッチは「切」状態となる。そのため制御装置はリセット状態となり、再度制御装置に電源を再度通電しても、人的操作を再度行わない限り、燃焼装置などの機器への制御がなされない。
【０００４】
図４は、従来技術における制御装置の電源投入から制御対象の運転までにおけるフローチャートである。
まず、制御装置に電源が投入されると、ステップ１１の状態となり、初期リセット動作が行われる。初期リセット動作によって、運転スイッチは「切」の状態となる。この初期リセット動作が終わると、次にステップ１２に移行し、運転スイッチの入力の待ち受け状態になる。そして、運転スイッチを「入」にするとステップ１３に移行し、機器の運転が開始され、再びステップ１２に戻る。
運転スイッチが「切」の状態であるならばステップ１４に移行し機器の運転は行われない。
いずれの状態でも、制御装置の電源を遮断すると、運転は停止する。そして、再度電源を投入すると、初期リセット動作が行われて機器は停止した状態を維持する。
【０００５】
また初期リセット動作が行われると、燃焼装置などの機器の運転の停止だけでなく、温度調節等の設定を再設定する必要となる場合があった。
【０００６】
【発明が解決しようとする課題】
ところで市場において燃焼装置などの機器の運転・停止を、制御装置に対する電源の遮断・通電によって実施したいという要請がある。すなわち制御装置に電源を供給する電源回路にタンブラースイッチ等を設け、当該タンブラースイッチを入り切りすることによって燃焼装置等の運転・停止を行いたいという要請がある。
しかしながら従来技術の制御装置を使用すると、タンブラースイッチを切ることによって初期リセットが働き、リモコン側の運転スイッチが「切」の状態となって機器の運転が行えない。そのためタンブラースイッチを入りにした状態でさらにリモコン側の運転スイッチを入りにしなければならず、操作が煩雑であった。
【０００７】
そこで本発明は、制御装置の電源の遮断・通電によって制御対象の制御が可能な制御装置を提供することを課題とするものである。
【０００８】
【課題を解決するための手段】
そして、上記した目的を達成するための請求項１の発明は、制御対象を制御する制御装置において、制御装置は本体側制御部とリモコンを有し、リモコンには運転スイッチが設けられ、当該運転スイッチは制御装置への電力供給が遮断されたとき或いは電力供給が一旦遮断されて電力供給が再開された時に切となるリセット機能を有し、さらに前記運転スイッチには電力供給が再開された時に電力供給が遮断される以前の状態に復帰する復帰機能を有し、本体側制御部で再投入すべきか否かを判断し、本体側制御部からリモコン側に運転スイッチを再投入する旨の信号が発信される機能を有することを特徴とする制御装置である。
【０００９】
本発明によれば、運転スイッチが設けられ、当該運転スイッチは制御装置への電力供給が遮断されたとき或いは電力供給が一旦遮断されて電力供給が再開された時に切となるリセット機能を有しているので、制御対象が誤作動することが無く、運転スイッチは電力供給が再開された時に電力供給が遮断される以前の状態に復帰する復帰機能を有しているので、制御装置の電源の遮断・通電によって制御対象の制御が可能となる。
【００１０】
請求項２の発明は、制御対象に対して所定の信号を発する本体側制御部と、本体側制御部に電力を供給する電力供給回路を有し、制御対象を制御する制御装置において、リモコンを有し、電力供給回路には電力供給スイッチが設けられ、リモコンには運転スイッチが設けられ、当該運転スイッチは電力供給スイッチが切となって本体側制御部への電力供給が遮断されたとき或いは電力供給スイッチが切となって電力供給が一旦遮断されて電力供給が再開された時に切となるリセット機能を有し、さらに前記運転スイッチは電力供給スイッチが入となって電力供給が再開された時に本体側制御部で再投入すべきか否かを判断し、本体側制御部からリモコン側に運転スイッチを再投入する旨の信号が発信され、電力供給が遮断される直前の状態に復帰する復帰機能を有することを特徴とする制御装置である。
【００１１】
請求項２の発明においては、本体側制御部には運転スイッチが設けられ、当該運転スイッチは電力供給スイッチが切となって本体側制御部への電力供給が遮断されたとき或いは電力供給スイッチが切となって電力供給が一旦遮断されて電力供給が再開された時に切となるリセット機能を有しているので、制御対象が誤作動することが無い。また、運転スイッチは電力供給スイッチが入となって電力供給が再開された時に電力供給が遮断される直前の状態に復帰する復帰機能を有するので、制御装置の電源の遮断・通電によって制御対象の制御が可能である。
【００１２】
請求項３の発明は、復帰機能は、電力供給が遮断される直前の運転状態を記憶する記憶手段と、再度電力供給を行った際に前記記憶手段から本体側制御部に出力し、電力供給が遮断される直前の運転状態に本体側制御部を復帰させることのできる出力手段を備えることを特徴とする請求項１又は２に記載の制御装置である。
【００１３】
請求項３の発明においては、電力供給が遮断された際に電力供給が遮断される直前の運転状態を記憶する記憶手段と、再度電力供給を行った際に前記記憶手段から本体側制御部に出力し、電力供給が遮断される直前の運転状態に本体側制御部を復帰させることのできる出力手段を備えているので、電力供給が再開された時には電力供給が遮断される直前の運転状態へ容易に復帰することができる。
【００１４】
請求項４の発明は、前記記憶手段は不揮発性メモリを有し、前記出力手段は前記不揮発性メモリに記憶された情報を読み出して直前の運転状態に本体側制御部を復帰させることを特徴とする請求項３に記載の制御装置である。
【００１５】
請求項４の発明においては、直前の運転状態を記憶する記憶手段が不揮発性メモリによって行われ、前記出力手段は前記不揮発性メモリから読み出して直前の運転状態に本体側制御部を復帰させるので、電力供給が再開された時には電力供給が遮断される直前の運転状態へさらに容易に復帰することができる。
【００１６】
請求項５の発明は、制御対象の作動が異常検知により停止する制御対象を制御する制御装置であって、制御対象の作動が異常検知により停止し、この状態において電力供給が遮断され、さらに制御装置への電力供給が再開された際には、制御対象は停止した状態を維持することを特徴とする請求項１乃至４のいずれかに記載の制御装置である。
【００１７】
請求項５の発明においては、異常検知により停止する制御対象を制御する制御装置である。本発明の制御装置においては、制御対象の作動が異常検知により停止し、この状態において電力供給が遮断され、さらに制御装置への電力供給が再開された際には、制御対象は起動しない。そのため本発明の制御装置は安全性が高い。
【００１８】
請求項６の発明は、制御対象の作動異常を検知する異常検知機能を有し、異常検知に関する情報が不揮発性メモリに記憶され、電力供給が遮断され、さらに制御装置への電力供給が再開された際には不揮発性メモリの情報が読みだされて運転スイッチが入り状態とならないことを特徴とする請求項１乃至５のいずれかに記載の制御装置である。
【００１９】
本発明の制御装置では制御対象の作動異常を検知する異常検知機能を有し、異常検知に関する情報が不揮発性メモリに記憶される。そして電力供給が再開された際には不揮発性メモリの情報が読みだされて運転スイッチが入り状態とならない。そのため本発明の制御装置は安全性が高い。
【００２０】
請求項７の発明は、請求項１乃至６のいずれかに記載の制御装置と燃焼装置本体からなることを特徴とする燃焼装置である。
【００２１】
請求項７の発明における燃焼装置は、電源の遮断・通電によって起動・停止を行うことができる。
【００２２】
本発明に関連する制御装置と燃焼装置本体からなる燃焼装置であって、制御装置は燃焼装置の本体に内蔵又は本体と一体化された本体側制御部とリモートコントロール側制御部を有し、リモートコントロール側制御部に運転スイッチがあり、リモートコントロール側制御部の運転スイッチが電力供給が再開された時に電力供給が遮断される以前の状態に復帰することを特徴とする燃焼装置である。
【００２３】
本発明に関連する制御装置と燃焼装置本体からなる燃焼装置であって、制御装置は燃焼装置の本体に内蔵又は本体と一体化された本体側制御部と温度設定を行うリモートコントロール側制御部を有し、リモートコントロール側制御部に運転スイッチがあり、本体側制御部側からリモートコントロール側制御部に運転スイッチの再投入の信号が発せられることを特徴とする燃焼装置である。
【００２４】
本発明に関連する燃焼装置は、電源の遮断・通電によって起動・停止を行うことができる。加えて本発明に関連する燃焼装置は、リモートコントロール側制御部を有し、当該リモートコントロール側制御部に運転スイッチがあるので、使用者にとって使い勝手のよい場所にリモートコントロール側制御部を置いて操作することができる。
特に本発明に関連する燃焼装置では、リモートコントロール側制御部によって温度設定を行うことができるので使いやすい。さらに本発明に関連する燃焼装置では、本体側制御部側からリモートコントロール側制御部に運転スイッチの再投入の信号が発せられるので、運転スイッチの再投入を判断する機材等を本体側に配置することができる。そのためリモートコントロール側制御部の小型化が可能である。
【００２５】
【発明の実施の形態】
以下さらに本発明の具体的実施例について説明する。以下に述べる具体的実施例の制御対象は、燃焼装置であるが、これは本発明の一例であって、本発明の制御対象はこれに限られない。
図１は、本発明の第１の実施形態における制御装置の電源投入から制御対象の運転までにおけるフローチャートである。図２は、本発明の第２の実施形態における制御装置の電源投入から制御対象の運転までにおけるフローチャートである。図３は、本発明の第１の実施形態における制御装置を用いた燃焼装置の概略図である。
【００２６】
第１の実施形態における制御装置について、図１、図３を用いて説明する。図３は第１の実施形態における制御装置を用いた燃焼装置の概略図である。燃焼装置１は、貯湯式給湯器と称される形式のものであり、燃焼装置本体２と前記燃焼装置本体２を制御する制御装置３からなる。
また制御装置３は、電源回路９と本体側制御部２６及びリモコン４によって構成される。本体側制御部２６は、燃焼装置本体２を収納するケース（図示せず）に内蔵されている。またリモコン４は、本体側制御部２６から離れた位置に取り付けられている。リモコン４は、本体側制御部２６に対して有線又は無線により接続されている。
【００２７】
燃焼装置本体２はオイルを供給し燃焼して熱を発生させる燃焼部５と前記燃焼部５の熱を利用して内部の湯水を昇温させる熱交換部６を有している。
燃焼部５には燃料であるオイルを供給する管１０を備え、管１０の先端にはノズル１１を有し、オイルが噴射される。そして、ノズル１１先端付近に設けられたイグナイタの電極棒１２より発生する花火により点火してオイルを燃焼させる。
【００２８】
熱交換部６には、給水口１５から熱交換部６につながる管１７ａと、熱交換部６から給湯栓１６につながる管１７ｂが接続されており、給水口１５から導入された水が熱交換部６に入って湯となり、給湯栓１６から出湯する。給油栓１６での水の温度が、制御装置３に有する温度設定切り替え器６０によって、設定された温度となるように、燃焼部５の燃焼が調節される。
さらに、熱交換部６の内部の温度を制御するために缶体サーミスタ２０が、熱空だき状態を検知する空だき安全装置２１が、水温が異常に高温になった状態を検知する沸騰防止サーミスタ２２が備えられている。
また、燃焼部５が異常に高温にならないようにするため、温度ヒューズ２３が備えられている。そして、燃焼装置本体２には、地震の際に燃焼部５の燃焼を自動的に停止するための対震自動消火装置（図示せず）が備えられている。前記した異常を検知したときは、燃焼が停止する。
【００２９】
制御装置３は前記したように本体側制御部２６とリモコン４を有し、本体側制御部２６は燃焼装置本体２を収納したケースに内蔵されている。
またリモコン４には運転スイッチ６１と温度設定切り替え器６０が設けられている。制御装置３は、１００Ｖ交流電源２９により作動し、電源と制御装置３をつなぐコードの部分には、タンブラースイッチ３０を有し、前記タンブラースイッチ３０を操作することで、電源の供給・遮断が可能である。すなわち制御装置３は、電源回路９を有し、電源回路９にタンブラースイッチ３０が設けられている。
燃焼装置本体２は、本体側制御部２６と共に例えば納屋の一部等に設置され、タンブラースイッチ３０は当該納屋の柱等の燃焼装置本体２の近くに取り付けられる。
これに対してリモコン４は、母屋等の燃焼装置本体２から離れた位置に設置される。
【００３０】
制御装置３の制御動作について、図１を用いて説明する。なお本実施形態で採用する制御装置３では、ＥＥＰＲＯＭ等の記憶装置や、運転スイッチ６１を再投入すべきか否かを判断するＣ．Ｐ．Ｕ等が本体側制御部２６に内蔵されている。そして本体側制御部２６からリモコン４側に運転スイッチ６１を再投入する旨の信号等が発信される。
【００３１】
燃焼装置１の運転に際しては、まず、タンブラースイッチ３０を「入」して制御装置３に電源を供給する。その結果、従来技術の制御装置同様にステップ１に移行し、初期リセット動作が行われる。その後、ステップ２に移行し「前回運転スイッチ状態」の読み出しを行う。この「前回運転スイッチ状態」は、後述するようにＥＥＰＲＯＭにより記憶されている。また前記した様にＥＥＰＲＯＭは本体側制御部２６に内蔵されている。ＥＥＰＲＯＭは、電気的な情報を書き込み・呼び出しでき、さらに前に記録した情報を消去して再度書き込みできる不揮発性メモリであり、本体側制御部２６への電源が遮断されても記憶は残っている。
そして、ステップ２に移行し、ＥＥＰＲＯＭから前回運転スイッチ状態に関する情報が読み出される。
【００３２】
続いてステップ３で、前回、運転スイッチが「入」であったか否かが判断される。そして「前回運転スイッチ状態」が「入状態」の時には、ステップ４に移行し、本体側制御部２６からリモコン４に対して運転スイッチ６１を「入」にするための信号が送られる。
リモコン４側は、この信号を受け、運転スイッチ６１を「入」にする。こうして自動的に運転スイッチが入り、ステップ５に移る。
【００３３】
これに対して「前回運転スイッチ状態」が「切状態」の時には、ステップ５を飛ばし、ステップ５に移行する。
【００３４】
そして前記した様に初期リセット動作及び「前回運転スイッチ状態」の読み出しが終わると、ステップ５で運転スイッチの入力の待ち受け状態になる。「前回運転スイッチ状態」が「入状態」の時には、前記した様にステップ４で自動的に運転スイッチ６１が入るため、ステップ６に移動し、「前回運転スイッチ状態」の書き込みが行われる。「前回運転スイッチ状態」の情報は、ＥＥＰＲＯＭに記録される。すなわちステップ６では、ＥＥＰＲＯＭに「運転スイッチ入」の情報が書き込まれる。
【００３５】
そして、ステップ７に移行し、燃焼装置本体２の運転が行われる。その後、ステップ６に戻り、再び運転スイッチ待ち受け状態に戻る。
【００３６】
一方、初期リセット動作及びステップ２で「前回運転スイッチ状態」の読み出しが終わったあと、ステップ３で「前回運転スイッチ状態」が「運転スイッチ切」であった場合にはステップ５における判定がＮＯとなり、ステップ８に移行する。そしてステップ８でＥＥＰＲＯＭに「前回運転スイッチ状態」の書き込みが行われる。この書き込みは、ＥＥＰＲＯＭに「運転スイッチ切」の情報が書き込まれることにより行われる。
【００３７】
続いてステップ９に移行するが、燃焼装置本体２は運転することなく停止したままの状態を維持する。すなわち制御装置３は停止した状態であり、ステップ５に戻り、再び運転スイッチ待ち受け状態に戻る。
ここで人為的にリモコン４の運転スイッチ６１を「切」とした場合には、ステップ５でＮＯと判断され、ステップ８に移動し「前回運転スイッチ状態」が「切状態」である旨の情報が書き込みが行われ、さらにステップ９に移行し、燃焼装置本体２の運転は停止し、再びステップ５に戻り、運転スイッチ待ち受け状態に戻る。
【００３８】
一方、人為的にリモコン４の運転スイッチ６１を「切」とした場合には、ステップ５でＹＥＳと判断され、ステップ６に移動し「前回運転スイッチ状態」たる「入状態」の情報が書き込まれ、さらにステップ７に移行して、燃焼装置本体２の運転が開始される。
【００３９】
燃焼装置１は、上記のように構成されており、制御装置３に電源を供給した際に、初期リセット動作が行われるので燃焼装置本体２が誤作動することは無い。さらに、「前回運転スイッチ状態」は、タンブラースイッチ３０が「切」とするなどにより、制御装置３の電源が遮断されてもＥＥＰＲＯＭに記憶されており、「入状態」の時には、自動で燃焼装置本体２が運転し、「切状態」の時には、停止したままである。従って、一旦制御装置３の電源を遮断し、再び制御装置３の電源を入れたときには、どのような状態であっても、燃焼装置本体２の運転状態が制御装置３の電源が遮断される前の状態に戻り、復帰する。そのため、制御装置の電源の遮断・通電によって制御対象の制御が可能となる。
【００４０】
次に第２の実施形態における制御装置５０について、図２を用いて説明する。燃焼装置５０は、燃焼装置本体２と前記燃焼装置本体２を制御する制御装置５３からなる。燃焼装置本体２は、第１の実施形態における燃焼装置本体２と同じである。
また制御装置５０が電源回路９と本体側制御部２６及びリモコン４によって構成され、本体側制御部２６が、燃焼装置本体２を収納するケース（図示せず）に内蔵され、リモコン４が、本体側制御部２６から離れた位置に取り付けられている点についても先の実施形態と同じである。
【００４１】
制御装置５３の燃焼装置本体２への制御について、図２を用いて説明する。電源が投入、ステップ１の初期リセット動作、ステップ２の「前回運転スイッチ状態」の読み出し、ステップ３の「前回運転スイッチ状態」、ステップ４の「前回運転スイッチ状態」が「入状態」の場合の自動での運転スイッチが入力、及び、ステップ５の運転スイッチの入力の待ち受け状態までは、第１の実施形態と同じである。
また、ステップ５の状態で、運転スイッチが「切」の状態の場合には、第１の実施形態と同様にステップ８で「前回運転スイッチ状態」の「切状態」の記憶をし、ステップ５の状態の運転スイッチ待ち受け状態に戻る。
【００４２】
ステップ５の状態で、運転スイッチが「入」の状態の場合には、ステップ５'に移り、異常検知の有無を確認する。異常検知は、缶体サーミスタ２０、空だき安全装置２１、沸騰防止サーミスタ２２、温度ヒューズ２３が作動することにより、燃焼装置本体２の運転が停止することである。異常検知があったときには、ステップ５'でステップ８に移り、「前回運転スイッチ状態」の「切状態」の記憶をＥＥＰＲＯＭにし、ステップ９に移り、運転スイッチが「入」であっても燃焼装置本体２は運転しない。そして、ステップ５に戻って、運転スイッチ待ち受け状態に戻る。
【００４３】
燃焼装置５０は、上記のように構成されているので、燃焼装置本体２が誤作動することが無い。また、一旦制御装置５３の電源を遮断し、再び制御装置５３の電源を入れたときには、どのような状態であっても、燃焼装置本体２の運転状態が制御装置５３の電源が遮断される前の状態に戻り、制御装置５３の電源の遮断・通電によって燃焼装置本体２の制御が可能となる。
さらに、制御装置５３への電力供給の遮断することなく、制御装置の人的操作によらない、燃焼装置本体２の作動の停止である異常検知による停止した場合には制御装置５３に「前回運転スイッチ状態」の「切状態」の記憶がＥＥＰＲＯＭにされ、異常検知の後、制御装置５３への電力供給が遮断されたとき或いは電力供給が一旦遮断されて電力供給が再開された時には、ＥＥＰＲＯＭから読み出すことにより、燃焼装置本体２が停止したままであるので燃焼装置本体２が異常のまま運転されることはない。
【００４４】
【発明の効果】
以上説明した様に、本発明は、燃焼装置などの機器の誤作動を防止しつつ、制御装置の電源の遮断・通電によって制御対象の制御が可能な制御装置を提供することができる効果がある。
【図面の簡単な説明】
【図１】  本発明の第１の実施形態における制御装置の電源投入から制御対象の運転までにおけるフローチャートである。
【図２】  本発明の第２の実施形態における制御装置の電源投入から制御対象の運転までにおけるフローチャートである。
【図３】  本発明の第１の実施形態における制御装置を用いた燃焼装置の概略図である。
【図４】  従来技術における制御装置の電源投入から制御対象の運転までにおけるフローチャートである。
【符号の説明】
１，５０  燃焼装置
２，  燃焼装置本体
３，５３  制御装置
【図１】
0004702589.tif 000002
【図２】
0004702589.tif 000003
【図３】
0004702589.tif 000004
【図４】
0004702589.tif 000005